(57)【要約】【課題】出力対象の画像データをプレビュー表示するに際し、拡大、縮小、移動などのユーザ操作を行わずに、動作モードに応じた確認ポイントを直ぐに確認することが可能な画像形成装置を提供する。【解決手段】画像形成装置（デジタル複合機１で例示）は、複数の動作モードのそれぞれで動作可能である。画像形成装置は、画像データをプレビュー表示するタッチパネル１０等の画像表示部と、動作モード毎に、画像表示部においてプレビュー画像を最初に表示させる際の表示設定値を記憶する制御用メモリ１９等の設定値記憶部とを備える。【選択図】図２
2010035019.tif 000002
【特許請求の範囲】
【請求項１】
複数の動作モードのそれぞれで動作可能な画像形成装置であって、出力対象の画像データのプレビュー画像を表示する画像表示部と、前記動作モード毎に、前記画像表示部において前記プレビュー画像を最初に表示させる際の表示設定値を記憶する設定値記憶部とを備えたことを特徴とする画像形成装置。
【請求項２】
前記プレビュー画像は、前記出力対象の画像データを縮小して生成した画像であることを特徴とする請求項１に記載の画像形成装置。
【請求項３】
前記プレビュー画像は、前記出力対象の画像データを出力するページ単位で順次表示する画像であることを特徴とする請求項１又は２に記載の画像形成装置。
【請求項４】
前記複数の動作モードの１つとして、原稿の画像読み取りを行って得た画像データを印刷するコピーモードを含み、該コピーモードに対する前記表示設定値は、前記プレビュー画像の表示サイズをページ全体が閲覧可能なサイズとする設定を含むことを特徴とする請求項１〜３のいずれか１項に記載の画像形成装置。
【請求項５】
前記コピーモードに対する前記表示設定値は、前記画像表示部が、前記プレビュー画像を、出力時の仕上げ状態を含めて表示する設定を含むことを特徴とする請求項４に記載の画像形成装置。
【請求項６】
前記仕上げ状態は、ステープル処理、パンチ処理、集約処理、中とじ処理のいずれか１又は複数の処理を施した結果の状態であることを特徴とする請求項５に記載の画像形成装置。
【請求項７】
前記複数の動作モードの１つとして、原稿の画像読み取りを行って得た画像データを印刷するコピーモードを含み、該コピーモードに対する前記表示設定値は、印刷時に前記画像データに付加する付加情報を、前記画像表示部の画面の上端及び下端の略中間位置に表示する設定を含むことを特徴とする請求項１〜６のいずれか１項に記載の画像形成装置。
【請求項８】
前記複数の動作モードの１つとして、外部に画像データを送信するためのデータ送信モードを含み、該データ送信モードに対する前記表示設定値は、外部に送信する際に添付する送り状、若しくは外部に送信する画像データに付加するヘッダ情報を、閲覧可能なサイズで表示する設定を含むことを特徴とする請求項１〜７のいずれか１項に記載の画像形成装置。
【請求項９】
前記複数の動作モードの１つとして、当該画像形成装置の内部に設けられた記憶装置に画像データを記憶するファイリングモードを含み、該ファイリングモードに対する前記表示設定値は、記憶時に前記画像データに付加する付加情報を、前記画像表示部の画面の上端及び下端の略中間位置に表示する設定を含むことを特徴とする請求項１〜８のいずれか１項に記載の画像形成装置。
【請求項１０】
前記表示設定値は、前記出力対象の画像データに対する前記プレビュー画像の表示倍率を、前記動作モードに応じて異ならせた設定を含むことを特徴とする請求項１〜９のいずれか１項に記載の画像形成装置。
【請求項１１】
前記動作モードに応じた前記表示設定値を、ユーザ操作により変更する設定値変更部を備えたことを特徴とする請求項１〜１０のいずれか１項に記載の画像形成装置。
【請求項１２】
ユーザを認証するユーザ認証部を備え、前記設定値記憶部は、前記ユーザ認証部で認証されるユーザ毎に、前記動作モードに応じた前記表示設定値を記憶可能とし、前記設定値変更部は、前記ユーザ認証部で認証されたユーザ毎に、前記動作モードに応じた前記表示設定値の変更可能とすることを特徴とする請求項１１に記載の画像形成装置。
【請求項１３】
複数の動作モードのそれぞれで動作可能な画像形成装置におけるプレビュー表示方法であって、
前記画像形成装置は、前記動作モード毎に、プレビュー画像を最初に表示させる際の表示設定値を記憶する設定値記憶部と、画像表示部とを備え、
当該プレビュー表示方法は、前記設定値記憶部から、現在の動作モードに対応する前記表示設定値を読み出すステップと、出力対象の画像データのプレビュー画像を、読み出した前記表示設定値に従って画像表示部に表示するステップとを含むことを特徴とするプレビュー表示方法。
【発明の詳細な説明】
【技術分野】
【０００１】
本発明は、画像データを出力前にプレビュー表示することが可能な画像形成装置、及びプレビュー表示方法に関する。
【背景技術】
【０００２】
従来から、複合機などの画像形成装置において、印字や送信等の出力対象となった画像データをプレビュー表示する機能が備わっているものがある。
【０００３】
また、特許文献１には、プレビュー表示される画像データが文字画像、階調画像かの判別を行い、文字画像の際には文字が確認できる程度のプレビュー倍率を設定して表示させる技術が開示されている。
【特許文献１】特開２００５−７３０１５号公報
【発明の開示】
【発明が解決しようとする課題】
【０００４】
しかしながら、プレビュー表示によって画像形成の最終状態を確認する場合には、動作モードにより重要視する確認ポイントが異なるのが一般的である。より具体的には、コピーモードの際には、画像全体の鮮明度や、画像データの印字位置とステープルやパンチの位置とが重なっていないかなどのステープルやパンチと画像データの印字位置との位置関係などが重要視される。また、ファクシミリ送信等のデータ送信時には、送り状の誤設定の有無や、ヘッダに付加する送信元情報や送信先情報などが重要視される。また、画像データを内部にファイリングするファイリングモード時には、画像データとファイリング時に付加する付加情報との配置関係などが重要視される。
【０００５】
このように、動作モードに応じて、重要視すべき視認ポイントが異なり、動作モードに応じた視認ポイントを確認するためには、ユーザ操作により、プレビュー表示された画像データを拡大、縮小、移動などを行う必要がある。
【０００６】
また、特許文献１に記載の技術は、画像の特性を判別した後にプレビュー時の条件を異ならせるものであるが、画像の特性から表示形態を異ならせるもので、動作モードやユーザの所望する表示形態に応じて、プレビュー表示の形態を可変設定するものではない。
【０００７】
本発明は、上述のような実状に鑑みてなされたものであり、出力対象の画像データをプレビュー表示するに際し、拡大、縮小、移動などのユーザ操作を行わずに、動作モードに応じた確認ポイントを直ぐに確認することが可能な画像形成装置及びプレビュー表示方法を提供することを、その目的とする。
【課題を解決するための手段】
【０００８】
上述の課題を解決するために、本発明の第１の技術手段は、複数の動作モードのそれぞれで動作可能な画像形成装置であって、出力対象の画像データのプレビュー画像を表示する画像表示部と、前記動作モード毎に、前記画像表示部において前記プレビュー画像を最初に表示させる際の表示設定値を記憶する設定値記憶部とを備えたことを特徴としたものである。
【０００９】
第２の技術手段は、第１の技術手段において、前記プレビュー画像は、前記出力対象の画像データを縮小して生成した画像であることを特徴としたものである。
【００１０】
第３の技術手段は、第１又は第２の技術手段において、前記プレビュー画像は、前記出力対象の画像データを出力するページ単位で順次表示する画像であることを特徴としたものである。
【００１１】
第４の技術手段は、第１〜第３のいずれかの技術手段において、前記複数の動作モードの１つとして、原稿の画像読み取りを行って得た画像データを印刷するコピーモードを含み、該コピーモードに対する前記表示設定値は、前記プレビュー画像の表示サイズをページ全体が閲覧可能なサイズとする設定を含むことを特徴としたものである。
【００１２】
第５の技術手段は、第４の技術手段において、前記コピーモードに対する前記表示設定値は、前記画像表示部が、前記プレビュー画像を、出力時の仕上げ状態を含めて表示する設定を含むことを特徴としたものである。
【００１３】
第６の技術手段は、第５の技術手段において、前記仕上げ状態は、ステープル処理、パンチ処理、集約処理、中とじ処理のいずれか１又は複数の処理を施した結果の状態であることを特徴としたものである。
【００１４】
第７の技術手段は、第１〜第６のいずれかの技術手段において、前記複数の動作モードの１つとして、原稿の画像読み取りを行って得た画像データを印刷するコピーモードを含み、該コピーモードに対する前記表示設定値は、印刷時に前記画像データに付加する付加情報を、前記画像表示部の画面の上端及び下端の略中間位置に表示する設定を含むことを特徴としたものである。
【００１５】
第８の技術手段は、第１〜第７のいずれかの技術手段において、前記複数の動作モードの１つとして、外部に画像データを送信するためのデータ送信モードを含み、該データ送信モードに対する前記表示設定値は、外部に送信する際に添付する送り状、若しくは外部に送信する画像データに付加するヘッダ情報を、閲覧可能なサイズで表示する設定を含むことを特徴としたものである。
【００１６】
第９の技術手段は、第１〜第８のいずれかの技術手段において、前記複数の動作モードの１つとして、当該画像形成装置の内部に設けられた記憶装置に画像データを記憶するファイリングモードを含み、該ファイリングモードに対する前記表示設定値は、記憶時に前記画像データに付加する付加情報を、前記画像表示部の画面の上端及び下端の略中間位置に表示する設定を含むことを特徴としたものである。
【００１７】
第１０の技術手段は、第１〜第９のいずれかの技術手段において、前記表示設定値は、前記出力対象の画像データに対する前記プレビュー画像の表示倍率を、前記動作モードに応じて異ならせた設定を含むことを特徴としたものである。
【００１８】
第１１の技術手段は、第１〜第１０のいずれかの技術手段において、前記動作モードに応じた前記表示設定値を、ユーザ操作により変更する設定値変更部を備えたことを特徴としたものである。
【００１９】
第１２の技術手段は、第１１の技術手段において、ユーザを認証するユーザ認証部を備え、前記設定値記憶部は、前記ユーザ認証部で認証されるユーザ毎に、前記動作モードに応じた前記表示設定値を記憶可能とし、前記設定値変更部は、前記ユーザ認証部で認証されたユーザ毎に、前記動作モードに応じた前記表示設定値の変更可能とすることを特徴としたものである。
【００２０】
第１３の技術手段は、複数の動作モードのそれぞれで動作可能な画像形成装置におけるプレビュー表示方法であって、前記画像形成装置は、前記動作モード毎に、プレビュー画像を最初に表示させる際の表示設定値を記憶する設定値記憶部と、画像表示部とを備え、当該プレビュー表示方法は、前記設定値記憶部から、現在の動作モードに対応する前記表示設定値を読み出すステップと、出力対象の画像データのプレビュー画像を、読み出した前記表示設定値に従って画像表示部に表示するステップとを含むことを特徴としたものである。
【発明の効果】
【００２１】
本発明によれば、出力対象の画像データをプレビュー表示するに際し、拡大、縮小、移動などのユーザ操作を行わずに、動作モードに応じた確認ポイントを直ぐに確認することが可能になる。
【発明を実施するための最良の形態】
【００２２】
以下、本発明を実施するための最良の形態について図面を参照して説明する。以下、本発明に係る画像形成装置をプリント機能、コピー機能、ファクシミリ送受信機能等を有するデジタル複合機に適用した形態について、その実施の形態を示す図面に基づいて具体的に説明する。
【００２３】
＜装置構成＞
図１は、本発明の一実施形態に係る画像形成装置の一例としてのデジタル複合機を用いて構築される画像処理システムの構成例を示す模式図である。図１において、１はデジタル複合機、２、３は外部コンピュータ、４はインターネットファクシミリ装置（インターネットＦＡＸ装置）、５はファクシミリ装置である。
【００２４】
デジタル複合機１は、プリント機能、コピー機能の他に、画像データをファックスで送受信する機能（ファクシミリ機能）及び／又は画像データをインターネットＦＡＸで送受信する機能（インターネットＦＡＸ機能）を有する。このデジタル複合機１には、通信網を介して各種の外部機器が接続されている。例えば、ローカルな通信網として敷設されている通信ネットワークＬＮには、パーソナルコンピュータ（ＰＣ）等の外部コンピュータ２が接続されおり、図に示していないゲートウェイ等を介して接続されているインターネット網ＩＮには外部コンピュータ３及びインターネットＦＡＸ装置４が接続されている。また、公衆電話回線網ＰＮを介して外部のファクシミリ装置５が接続されている。なお、上述したように、本発明に係る画像形成装置をデジタル複合機１に適用した場合についてのみ説明するが、本発明に係る画像形成装置としては、インターネットＦＡＸ装置４やファクシミリ装置５にも適用できる。
【００２５】
以下、このデジタル複合機１の構成及び動作について説明する。図２は、図１のデジタル複合機の構成例を示す概略ブロック図で、図３は、図２のデジタル複合機におけるタッチパネル及びキー操作部の一例を示す外観図である。
【００２６】
図２で例示するデジタル複合機１は、タッチパネル１０、パネル制御部１１、記録部１２、読取部１３、フォーマット変換部１４、画像記憶部１５、画像処理部１６、符号化／復号部１７、メイン制御部１８、制御用メモリ１９、キー操作部２０、ＬＡＮ（Local Area Network）制御部２１、制御用バッファ２２、網制御部（ＮＣＵ：Network Control Unit）２３、モデム２４、及びＵＳＢ（Universal Serial Bus）インターフェース（Ｉ／Ｆ）２５を備えている。また、デジタル複合機１は、穴あけ（パンチ）やステープル処理などを行う後処理装置を備えてもよく、以下、この後処理装置を備えた形態を挙げて説明する。
【００２７】
メイン制御部１８はＣＰＵ（Central Processing Unit）又はＤＳＰ（Digital Signal Processor）などで構成される。制御用メモリ１９は、ＲＯＭ（Read Only Memory）やＥＥＰＲＯＭ（Electrically Erasable and Programmable ROM）等の不揮発性メモリなどで構成される。制御用メモリ１９内にはメイン制御部１８から読み出し可能なように、プログラム（ファームウェア）と各種設定データとが格納されている。このうち少なくとも各種設定データは書き換え可能なメモリに格納されている。また、これらのプログラムや各種設定データは、後述する画像記憶部１５の構成例としてのハードディスクに記憶してもよい。また、制御用バッファ２２はＲＡＭ（Random Access Memory）等の揮発性メモリで構成される。
【００２８】
上述のプログラムは、本発明に係る後述のプレビュー画像の生成や表示に係る命令をはじめ、ファクシミリ画像や電子メール等の生成・送信・受信等に係る命令、原稿の読み取りに係る命令、印刷に係る命令、原稿の読み取り及び印刷（つまりコピー）に係る命令などを、メイン制御部１８が他の部位に対して行うためのものである。このプログラムは、メイン制御部１８により、制御用バッファ２２上に展開され、制御用バッファ２２を一時保存（作業）用のデータ領域として、後述の表示設定値を含む各種設定データを適宜参照しながら実行される。
【００２９】
読取部１３は、ＣＣＤ（Charge Coupled Device）を利用したスキャナで、原稿を所定の解像度のＲＧＢ（Ｒ：赤、Ｇ：緑、Ｂ：青）のビットマップ画像として読み取り、読み取ったＲＧＢの画像データ（ドットイメージデータ）を画像処理部１６に出力する。画像処理部１６は、ＡＳＩＣ（Application Specific Integrated Circuit）などで構成され、対象となる画像データに対して様々な画像処理を施す。画像処理の例については後述する。上述のＡＳＩＣには符号化／復号部１７等の他の部位も組み込んでよい。
【００３０】
画像記憶部１５は、ハードディスク等で構成され、読取部１３で読み取り画像処理部１６を経た画像データや、ＬＡＮ制御部２１やＮＣＵ２３等を介して外部から受信した画像データなどを記憶する。画像記憶部１５に画像データを記憶する際には、符号化／復号部１７で符号化したデータを記憶することもできる。また、画像記憶部１５は、画像処理部１６での画像処理中に発生する中間データの一時的な保存も行ってもよい。
【００３１】
符号化／復号部１７は、画像データを符号化により圧縮すると共に、符号化画像データを元の画像データに復号（伸張）する。例えば、符号化／復号部１７は原稿を読み取った画像データの符号化、その符号化データの復号、外部から受信した符号化画像データの復号などを行う。符号化／復号部１７では、ファイリングで一般的に使用されているＪＰＥＧ（Joint Photographic Experts Group）や、ファクシミリ通信で一般に使用されているＭＨ（Modified Huffman）、ＭＲ（Modified READ）、及びＭＭＲ（Modified Modified READ）など、用途に応じた符号化方式を用いることができる。また、符号化方式として、ＩＰファクシミリ通信ではＭＨを採用することができ、インターネットファクシミリ通信ではＭＨ、ＭＲ、ＭＭＲの他にＪＰＥＧやＪＢＩＧ（Joint Bi-level Image Experts Group）を採用することができる。
【００３２】
フォーマット変換部１４は、読み取られた画像データや外部から受信した画像データを、ＰＤＦ（Portable Document Format）、ＧＩＦ（Graphics Interchange Format）、ＴＩＦＦ（Tag Image File Format）等の所定のファイルフォーマットに変換する。
【００３３】
記録部１２は、電子写真方式やインクジェット方式などの印刷方式を採用したプリンタ装置を備え、画像記憶部１５に記憶された画像データなどを、記録用紙に記録（つまり印刷）する。また、ＵＳＢ  Ｉ／Ｆ２５は、ＵＳＢメモリ等のＵＳＢ機器に接続するためのＩ／Ｆであり、画像記憶部１５に記憶された原稿読み取り後の画像データ等をＵＳＢ機器に出力したり、ＵＳＢ機器からファイルを読み込んだりする。
【００３４】
モデム２４は、ファクシミリ通信が可能なファクシミリモデムから構成されており、電話回線と接続され、またＮＣＵ２３と直接的に接続されている。ＮＣＵ２３は、電話回線と接続され、回線の制御を行う。すなわち、ＮＣＵ２３は、アナログの公衆電話回線網（ＰＳＴＮ）との回線の閉結及び開放の動作を行うハードウェアであり、必要に応じてモデム２４を公衆電話回線網と接続する。このような構成により、画像記憶部１５に記憶された画像データを外部へファクシミリ送信することや、電話回線からファクシミリ画像データを受信して、画像記憶部１５に記憶したり記録部１２で直接印刷したりすることが可能となる。
【００３５】
ＬＡＮ制御部２１は、ＬＡＮと接続され、インターネット経由による電子メールデータの通信及びインターネットＦＡＸの通信を行う。インターネットＦＡＸは、ＬＡＮインターフェース等を用いてＬＡＮ等のコンピュータネットワークを介して、電子メールを送受信するものである。
【００３６】
タッチパネル１０又はキー操作部２０は、原稿の読み取り処理、画像データ送信、印刷等の処理の中から所望の処理を選択するための操作、その処理を開始するための操作、各処理を実行する際に必要となる設定を行うための操作（選択操作又は入力操作）などを受け付ける。この設定としては、例えば印刷時の印刷枚数の設定、穴あけ（パンチ）やステープルの設定、ファクシミリ画像や電子メールの送信時の相手先情報の設定など、様々挙げられる。
【００３７】
キー操作部２０は、操作するために必要なキー群を備えている。タッチパネル１０は、表示部とタッチセンサ等の操作受付部とを有する。タッチパネル１０は、パネル制御部１１によってその表示制御及び操作受け付けの制御がなされる。つまり、パネル制御部１１は、タッチパネル１０における表示部の表示制御や操作受付部の操作受付制御を行う。
【００３８】
タッチパネル１０の表示部には、現在の動作状態や設定情報（例えば送信先等）などが表示される。この表示は、ＧＵＩ（Graphical User Interface）画像を表示させるように、パネル制御部１１が制御することで実現される。ＧＵＩにより、ユーザ操作に応じてその表示及び操作受付位置を変更することができる。各ＧＵＩ及びその画像は、パネル制御部１１の内部メモリ又は制御用メモリ１９に、読み出し可能に格納しておけばよい。また、表示部としては、液晶ディスプレイや有機ＥＬ（Electroluminescence）ディスプレイなど、様々な表示形式の表示装置を採用することができる。
【００３９】
タッチパネル１０上で受けたユーザ操作はパネル制御部１１で解釈され、操作信号としてメイン制御部１８に伝送される。キー操作部２０で受けたユーザ操作は、キー操作部２０自身で解釈され、操作信号としてメイン制御部１８に伝送される。メイン制御部１８は、このようにして得た操作信号に応じた命令を他の部位に発することで、ユーザ操作に応じた処理を他の部位に実行させる。なお、表示装置及び操作部が一体となったタッチパネル１０を挙げて説明したが、タッチパネル１０の代わりに単に表示装置のみを設けても良く、その場合、キー操作部２０のみでユーザ操作を受け付ける。
【００４０】
タッチパネル１０及びキー操作部２０は、図３で例示するような操作パネル３０として構成してもよく、操作パネル３０は、各種ハードウェアキーを備えるキー操作部３１（キー操作部２０に相当する）と、液晶ディスプレイ及びタッチセンサにより構成されるタッチパネル３２（タッチパネル１０に相当）とにより構成される。以下、図１の構成においてタッチパネル１０及びキー操作部２０の代わりにタッチパネル３２及びキー操作部３１を当てはめて、本発明の詳細について説明する。
【００４１】
キー操作部３１は、ハードウェアキーとして、数値入力のためのテンキー３１ａ、入力した設定値をクリアするためのクリアキー３１ｂ、入力した各種設定を全解除するための全解除キー３１ｃ、コピー開始、送信開始等の指示を受付けるスタートキー３１ｄの他、プリント機能、送信機能、及びコピー機能を切替える機能切替キー３１ｅ，３１ｆ，３１ｇ、並びに、ユーザによる設定を受付けるシステム設定キー３１ｈを備えている。
【００４２】
上述した構成例のデジタル複合機１における動作例について説明する。
＜原稿読み取り動作＞
原稿読み取り動作は、読み取った原稿の画像データを画像記憶部１５に記憶（ファイリング）する場合、読み取った原稿の画像データを外部に送信する場合、読み取った原稿の画像データを印刷する場合（つまりコピーする場合）などに行われる。
【００４３】
原稿読み取りを必要とするような処理を行うユーザ操作が操作パネル３０で受け付けられたとき、メイン制御部１８は、読取部１３、画像記憶部１５、画像処理部１６、及び符号化／復号部１７などに指示を行い、次に説明するような処理を実行させる。
【００４４】
読取部１３は、原稿台又は自動原稿送り装置に載置された原稿の画像を光学的に読み取り、読み取った結果であるＲＧＢ画像データ（ＲＧＢのビットマップデータ）を画像処理部１６に渡す。画像処理部１６は、そのＲＧＢ画像データに対して、Ａ／Ｄ変換、シェーディング補正、γ補正などの各種画像処理（以下、原稿画像処理という）を実行する。ここで、シェーディング処理は、読取部１３の照明系・結像系・撮像系で生じる各種歪みを取り除く処理である。
【００４５】
原稿画像処理としては、Ａ／Ｄ変換、シェーディング補正、γ補正に続き、原稿判別処理、領域分離処理を実行するとよい。原稿判別処理は、入力された画像データ（ここではγ補正後の画像データ）から、原稿の種別を判別する処理と原稿がカラー原稿であるのか白黒原稿であるのかを判別する処理とを含む。原稿の種別としては、例えば文字原稿、印刷写真原稿、それらが混在した文字印刷写真原稿などが挙げられる。画像処理部１６は、これらの原稿判別処理及び白黒／カラー原稿判別処理の結果として、判別信号（以下、原稿判定データという）を出力する。領域分離処理とは、入力された画像データ（ここではγ補正後の画像データ）の各画素がどのような種類の領域に属するのかを判定する処理であり、例えば、各画素が黒文字の領域、色文字の領域、網点の領域などのいずれの領域に属する画素であるのかを判定する処理である。画像処理部１６は、この判定結果として領域分離データを出力する。なお、この領域分離処理は、上述の原稿判別処理及び白黒／カラー判別処理の結果に基づき実行してもよい。
【００４６】
原稿判定データ及び領域分離データは、対応する画像データ（原稿画像処理後の画像データ）に関連付けられて、画像記憶部１５に記憶される。このとき、符号化／復号部１７で原稿判定データ及び領域分離データを符号化した後、各符号化データを対応する画像データと関連付けて画像記憶部１５に記憶する。なお、画像記憶部１５へ記憶する際の符号化は必須ではないが、以下の説明では符号化した状態で画像データが記憶されるものとして説明する。原稿読み取り動作以外の動作についても同様とする。
【００４７】
＜印刷動作＞
上述した原稿読み取り動作により、読み取った原稿の画像データのファイリングまでは完了する。次に、読み取った原稿の画像データを印刷する場合（つまり原稿をコピーする場合）の印刷動作について説明する。印刷を必要とするような処理を行うユーザ操作が操作パネル３０で受け付けられたとき、メイン制御部１８は、記録部１２、画像記憶部１５、画像処理部１６、及び符号化／復号部１７などに指示を行い、次に説明するような処理を実行させる。なお、メイン制御部１８は、例えばコピー操作がなされたときには読取部１３への指示（原稿読み取り指示）も行うことになる。
【００４８】
また、デジタル複合機１は、印刷時に、定型スタンプ、日付（又は日時）、ページ番号などの付加情報を画像データに付加することが可能になっており、このような付加の指示があった場合にはメイン制御部１８が画像処理部１６を制御する。画像データに付加された付加情報は付加画像であると言える。付加情報は制御用メモリ１９に記憶され、必要に応じて読み出される。勿論、元々付加情報を付加画像のデータとして格納しておいてもよい。また、付加情報を複数、制御用メモリ１９に格納しておくと共に、付加設定情報を制御用メモリ１９に格納しておくとよい。この付加設定情報としては、画像データに対して付加する位置（以下、付加位置という）を示す情報を少なくとも含み、複数の付加情報が格納されている場合にはそのいずれを選ぶかの情報も含むものとする。また、後処理装置でのパンチやステープル処理を実行する指示があった場合には、メイン制御部１８はこの後処理装置も制御する。
【００４９】
符号化／復号部１７は、画像記憶部１５から印刷対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、印刷用画像処理という）を実行する。印刷用画像処理としては、以下にその概略を説明するように、画質調整処理、二色化処理、色補正処理、黒生成／下色除去処理、空間フィルタ処理、変倍処理、出力階調補正処理、及び中間調生成処理などが挙げられる。黒生成／下色除去処理、空間フィルタ処理、及び中間調生成処理は、領域分離データが示す各種領域に応じた処理となる。
【００５０】
画質調整処理としては、復号後の画像データから下地の検出を行って下地除去を行う。また、画質調整処理としては、操作パネル３０によりユーザ設定された設定情報に基づいて、下地除去後の画像データについてＲＧＢの調整（カラー調整、赤み青みといった全体のカラー調整）、明るさの調整、及び鮮やかさの調整も行う。このとき、原稿判定データが示す原稿種別に応じた調整を行ってもよい。
【００５１】
色補正処理としては、画質調整処理後のＲＧＢデータから、ＲＧＢの補色であるＣＭＹ（Ｃ：シアン、Ｍ：マゼンタ、Ｙ：イエロー）を構成要素とするＣＭＹデータを生成し、色再現性を高める処理を行う。黒生成／下色除去処理としては、色補正後のＣＭＹデータから黒（Ｋ）データを生成する黒生成処理と、元のＣＭＹデータから黒生成で得たＫデータを差し引いて新たなＣＭＹデータを生成する下色除去処理とを行う。空間フィルタ処理としては、これら４色のデータであるＣＭＹＫデータに対して強調処理や平滑化処理を行う。画像データを二色（例えば赤と黒）で出力する二色カラーモードが選択された場合には、二色化処理が実行される。二色化処理としては、ＲＧＢデータから指定の二色（この場合、赤色と黒色）を表現するＣＭＹデータに変換する処理を行う。二色カラーモードの場合、黒生成／下色除去処理は二色化処理後のＣＭＹデータに対して実行され、空間フィルタ処理も実行されるが、色補正処理は実行されない。
【００５２】
変倍処理としては、空間フィルタ処理後のＣＭＹＫデータに対し、操作パネル３０でユーザ操作により設定された印刷倍率に基づいて画像拡大処理又は画像縮小処理を行う。印刷倍率とは、読み取られ記憶された画像データが示す画像に対する印刷後の画像の倍率である。勿論、印刷倍率はユーザ操作により得られた倍率に限らず、印刷倍率に対する操作がなかった場合にはデフォルト設定の倍率となる。出力階調補正処理としては、ＣＭＹＫデータに対し、記録用紙等の記録媒体に出力するための出力γ補正処理を行う。中間調生成処理としては、出力階調補正処理後のＣＭＹＫデータに対して、誤差拡散処理やディザ処理により、画像を出力するための階調再現処理を行う。出力階調補正処理や中間調生成処理では、例えば文字領域とそれ以外で処理内容を異ならせるなど、原稿判定データが示す原稿種別に応じた処理を行ってもよい。
【００５３】
中間調生成処理後のＣＭＹＫデータは記録部１２に渡される。付加情報を付加する場合について説明する。付加情報についても印刷データの変倍率に応じて変倍処理を施す方法と、付加情報は印刷データの変倍率に関係なく変倍処理を施さない方法とがある。まず、付加情報も変倍処理する場合には、メイン制御部１８が付加情報及び付加位置を示す情報を読み出して、メイン制御部１８又は画像処理部１６が必要に応じて画像データに変換し、変倍処理の前にこの付加情報の画像データを画像処理部１６に渡す。なお、この変換は元々付加画像データが格納されている場合には必要ない。続いて、画像処理部１６が、付加情報の画像データを、変倍処理前の画像データである付加先の画像データに対し上記付加位置に合成すればよい。
【００５４】
付加情報を変倍処理しない場合には、メイン制御部１８が付加情報及び付加位置を示す情報を読み出して、メイン制御部１８又は画像処理部１６が必要に応じて画像データに変換する。この例では変換によりＣＭＹＫデータとなる。なお、この変換は元々付加画像データが格納されている場合には必要ない。続いて、画像処理部１６が、付加情報の画像データを、変倍処理後の画像データである付加先の画像データ（出力階調補正処理又は中間調生成処理の対象となる上述のＣＭＹＫデータ）に対し上記付加位置に合成すればよい。
【００５５】
いずれの場合にも、画像処理部１６が付加情報を付加した状態の中間調生成処理後のＣＭＹＫデータを出力することができる。なお、デジタル複合機１では、付加情報やその付加位置は、次に説明するプレビュー表示を行いながら操作パネル３０によりユーザ設定可能とする。
【００５６】
記録部１２は、このようにして画像処理部１６で印刷用画像処理が施された画像データ（この例ではＣＭＹＫの画像データ）を受け取り、電子写真方式やインクジェット方式などによりハードコピー（プリントアウト）する。そして、ここで印刷された用紙に対して、後処理装置が必要に応じてパンチやステープル処理を実行する。なお、ここで説明した印刷動作の対象データは、読取部１３で読み取られた画像データに限ったものではなく、例えば、ＵＳＢメモリ等の外部記録媒体やネットワーク接続されたＰＣなどから事前に転送され画像記憶部１５に記憶された画像データ（画像ファイル）についても、同様に適用できる。ファクシミリ受信し画像記憶部１５に記憶された画像データの印刷動作については後述する。
【００５７】
＜印刷する画像データのプレビュー表示動作＞
次に、原稿読み取りの結果として画像記憶部１５に記憶された画像データを、印刷前にタッチパネル３２でプレビュー表示する動作（プレビュー表示動作）について説明する。デジタル複合機１は、印刷対象となった画像データについてプレビュー表示（サムネイル表示）を可能にする構成を有する。このプレビュー表示動作は、プレビュー表示を必要とするような処理を行うユーザ操作が操作パネル３０で受け付けられたときに行われる。例えば、原稿読み取り後の画像データに対して印刷実行前にまずプレビュー表示を行う設定になっているときなどにも、プレビュー表示動作がなされる。例えば、プレビュー表示を行う設定後に、コピー条件を設定してスタートキーを押下した段階で、原稿の読み取りを開始し、読み取った後にプレビュー画像をタッチパネル３２に表示させてもよい。
【００５８】
メイン制御部１８は、画像記憶部１５、画像処理部１６、符号化／復号部１７、及びパネル制御部１１などに指示を行い、次に説明するような処理を実行させる。なお、メイン制御部１８は、例えば原稿をコピーする操作がなされたときには読取部１３への指示（原稿読み取り指示）も行うことになる。
【００５９】
符号化／復号部１７は、画像記憶部１５からプレビュー対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、プレビュー用画像処理という）を実行する。プレビュー用画像処理としては、以下にその概略を説明するように、画質調整処理、二色化処理、色補正処理、空間フィルタ処理、変倍処理、及び出力階調補正処理などが挙げられる。空間フィルタ処理及び出力階調補正処理は、領域分離データが示す各種領域に応じた処理となる。
【００６０】
ここでの画質調整処理は、印刷用画像処理での画質調整処理と同様である。色補正処理としては、タッチパネル３２の表示特性に基づいて、画質調整処理後の画像データ（ＲＧＢデータ）をＲ′Ｇ′Ｂ′データに変換する処理を行う。空間フィルタ処理としては、このＲ′Ｇ′Ｂ′データに対して強調処理や平滑化処理を行う。
【００６１】
変倍処理としては、空間フィルタ処理後のＲ′Ｇ′Ｂ′データに対し、印刷倍率に応じた画像拡大処理／画像縮小処理を施し、さらにそのＲ′Ｇ′Ｂ′データの画素数をタッチパネル３２の画素数（表示解像度）に変換する処理を行うと共に、制御用メモリ１９に格納された「コピーモードについての表示設定値」が示すプレビュー表示倍率に基づいて画像拡大処理や画像縮小処理を行う。ここで、表示設定値とは、動作モード毎に設定されたプレビュー表示設定の初期値、つまりプレビュー画像を最初に表示させる際の表示設定の値を指す。ここでは、読取部１３で原稿の画像読み取りを行って得た画像データを記録部１２で印刷するコピーモードについての表示設定値が使用される。なお、プレビュー表示倍率とは、例えば２倍、４倍等の倍率であって、プレビュー表示時の画像の倍率である。
【００６２】
画像処理部１６に設けたプレビュー画像生成部１６ａは、主にこのようなプレビュー表示用の変倍処理によりプレビュー表示用の画像（プレビュー画像）を生成する。
【００６３】
ここで、付加情報を付加する場合のプレビュー画像について説明する。上述のように、デジタル複合機１では、出力対象の画像データに付加情報を付加して出力することが可能となっており、プレビュー表示は、パネル制御部１１が、付加情報を示す画像を表示させる制御を行うことで実行される。そのため、プレビュー画像生成部１６ａが、このような付加情報を示す画像を生成し出力対象の画像データから生成したプレビュー画像に合成することで、付加情報付きのプレビュー画像を生成する。これをパネル制御部１１がタッチパネル３２に表示させる。
【００６４】
付加情報は、印刷倍率に応じて変倍処理を行って印刷対象の画像データと共に出力することができ、また印刷倍率に応じた変倍処理を行った後の印刷対象の画像データに付加して出力することもできる。まず、付加情報も変倍処理して出力する場合には、メイン制御部１８が付加情報及びその付加位置を読み出して、変倍処理の前に画像処理部１６に渡す。続いて、プレビュー画像生成部１６ａが、この付加情報を示す画像のＲ′Ｇ′Ｂ′データを生成し、変倍処理前の画像データである付加先の画像データに対し上記付加位置に合成する。そして、付加情報の画像が付加された後のＲ′Ｇ′Ｂ′データに対し、印刷倍率に応じた画像拡大処理／画像縮小処理を施すとよい。
【００６５】
付加情報を変倍処理しない場合には、メイン制御部１８が付加情報及びその付加位置を読み出して画像処理部１６に渡す。続いて、プレビュー画像生成部１６ａがこの付加情報から付加情報を示す画像のＲ′Ｇ′Ｂ′データを生成し、それを印刷倍率に応じた画像拡大処理／画像縮小処理後のＲ′Ｇ′Ｂ′データに対し上記付加位置に合成し、付加後のＲ′Ｇ′Ｂ′データの画素数をタッチパネル３２の画素数（表示解像度）に変換する処理を行うと共に、制御用メモリ１９に格納された「コピーモードについての表示設定値」が示すプレビュー表示倍率に基づいて画像拡大処理や画像縮小処理を行う。
【００６６】
また、後処理装置においてパンチやステープル処理を施す場合には、印刷対象となる画像データ（及び付加情報を示す画像のデータ）から生成したプレビュー画像にパンチ穴やステープル等の後処理の画像データを、パンチ位置やステープル位置に合成して出力するとよい。若しくは、印刷対象となる画像データ（及び付加情報を示す画像のデータ）から生成したプレビュー画像とは別に、その近隣に、パンチ穴やステープル等の後処理の画像データを合わせて出力してもよい。後者の場合、合成処理が不要となるため、処理速度が速くなる。いずれの方法によっても、画像データのプレビュー表示時に、画像形成する用紙の仕上がり状態を表示させることができる。
【００６７】
出力階調補正処理としては、プレビュー画像のＲ′Ｇ′Ｂ′データ又はプレビュー画像及び後処理の画像のＲ′Ｇ′Ｂ′データに対し、タッチパネル３２で画像データを表示するための出力γ補正処理を行う。出力階調補正処理では、例えば文字領域とそれ以外で処理内容を異ならせるなど、原稿判定データが示す原稿種別に応じた処理を行ってもよい。
【００６８】
二色化処理は、画像データを例えば赤と黒の二色で出力する二色カラーモードが選択された場合のみに実行される。二色化処理としては、画質調整処理後のＲＧＢデータから指定の二色（この場合、赤色と黒色）を表現するＣＭＹデータに変換する処理を行う。生成されたＣＭＹＫデータは、後段の色補正処理において、タッチパネル３２の表示特性に基づいてＲ′Ｇ′Ｂ′データに変換される。
【００６９】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像を、ＧＵＩ画像に対して、制御用メモリ１９から読み出した「コピーモードについての表示設定値」が示す表示位置に組み込んで表示させる制御を、タッチパネル３２に対して行い、タッチパネル３２でこのＧＵＩ画像を表示する。例えば、「コピーモードについての表示設定値」として、付加情報を示す画像を画面（組み込み先のＧＵＩ画像）の上端及び下端の略中間位置に表示する設定が含まれる場合には、「コピーモードについての表示設定値」が示す表示位置とは、付加情報の画像がそのような略中間位置になるようなプレビュー画像の表示位置を指す。ユーザは、この付加情報を示す画像を含むプレビュー表示された画像を確認して、このまま印刷を実行するか中止するか、或いは付加情報を削除するか、付加位置の変更（又は付加情報の変更）などを実行するかなどを判断して、それに応じた操作を行うことができる。
【００７０】
なお、印刷動作を伴う動作モードとしては、ファクシミリ通信等により受信した画像データを印刷するモードや、読取部１３での読み取りを経ずにネットワークやＵＳＢメモリ等を経由して画像記憶部１５に記憶された画像データを選択して印刷するモードも含まれるが、これらもコピーモードの一種として取り扱ってもよいし、別の動作モードとして取り扱い、各動作モードに応じた表示設定値を用いてもよい。このうち、ファクシミリ受信し画像記憶部１５に記憶された画像データの印刷前のプレビュー表示動作については後述する。
【００７１】
また、このような動作モードに応じた表示設定値（表示倍率や表示位置などに影響する設定値）、及びそれを使用したプレビュー表示については、本発明の主たる特徴であり、他の動作モードと共にまとめて後述する。また、最初にプレビュー表示を行ったＧＵＩ画像に対して、プレビュー表示倍率や表示位置を変更するユーザ操作があった場合には、その変更に基づき画像拡大処理や画像縮小処理や位置変更処理を行って、再表示させればよい。
【００７２】
＜原稿読み取り・プレビュー表示・印刷についての補足＞
プレビュー表示動作について印刷動作と別個に説明したが、まず印刷動作として出力階調補正処理を施した後の画像データ（ＣＭＹＫデータ）を、タッチパネル３２の表示特性に基づいてＲ′Ｇ′Ｂ′データに変換し、タッチパネル３２の画素数（表示解像度）に合わせた変換処理やプレビュー表示時の変倍処理を行って、ＧＵＩ画像に対して「コピーモードについての表示設定値」が示す表示位置に組み込んでタッチパネル３２に表示してもよい。印刷動作がある程度完了しておりプレビュー表示後の印刷動作が素早く完了できるため、例えばコピー操作がなされたときに事前にプレビュー表示を行うような設定となっている場合などに有用である。
【００７３】
また、原稿読み取り動作として、符号化した画像データと原稿種別データと領域分離データとを対応付けて画像記憶部１５に格納する例を挙げ、この例に基づき印刷動作時やプレビュー表示動作についても説明した。この代替方法として、読取部１３で読み込んだ画像データのみを対象として符号化して、一旦、画像記憶部１５に格納しておいてもよい。この場合、印刷動作時やプレビュー表示動作時に、画像記憶部１５から読み出し符号化／復号部１７で復号した画像データに対して、画像処理部１６が原稿種別判別処理や領域分離処理を施すように構成すればよい。また、このような代替方法は、後述するファクシミリ送信やインターネットＦＡＸ送信等の画像データ送信時にも適用することができる。
【００７４】
＜ファイリング動作についての補足＞
ファイリング動作は、原稿読み取り動作として説明したように、読み取った画像データを（必要に応じて符号化して）、デジタル複合機１の内部に設けられた画像記憶部１５に記憶する動作である。ファイリング時でも、記憶対象の画像データに対して付加情報を付加してから記憶（ファイリング）することができる。画像記憶部１５にファイリングする画像データのプレビュー表示動作については、基本的に印刷する画像データについて説明した通りであるが、表示設定値はファイリングモードについての表示設定値が用いられる。ファイリングモードについての表示設定値でも、画面の上端及び下端の略中間位置に表示する設定を行うとよい。
【００７５】
＜ファクシミリ受信した画像データの印刷動作＞
次に、ファクシミリ通信により受信した画像データの印刷動作について説明する。メイン制御部１８は、モデム２４でファクシミリ通信要求を検知したときに、記録部１２、画像記憶部１５、画像処理部１６、ＮＣＵ２３、及びモデム２４などに指示を行い、次に説明するような処理を実行させる。
【００７６】
まず、モデム２４及びＮＣＵ２３は、通信手続きを行いながら送信元から送信されてくる画像データ（圧縮画像データ）を順次受信し、受信した圧縮画像データの伸張を行うと共に、必要に応じて回転処理（送信方向を回転させる処理）や解像度変換処理などを実行して、画像処理部１６に渡す。
【００７７】
ファクシミリ通信により受信した画像データは白黒２値であるので、画像処理部１６では、伸張等の処理を行った画像データ（Ｋデータ）に対して、特に処理を施さず、そのまま記録部１２に渡される。記録部１２は、この画像データを受け取り、電子写真方式やインクジェット方式などにより印刷を実行する。また、ファクシミリ通信によって受信した画像データに対しても、上述した付加情報を付加した後に印刷することもできる。
【００７８】
モノクロ画像でのファクシミリ受信について説明したが、カラーのファクシミリ画像（ＲＧＢデータ）を受信した際には、画像処理部１６がここで説明したファクシミリ受信用画像処理をこのＲＧＢデータに対して実行するなどすればよい。
【００７９】
＜ファクシミリ受信した画像データのプレビュー表示動作＞
ファクシミリ通信により受信した画像データのプレビュー表示動作について、同画像データの印刷動作に基づき簡単に説明する。このプレビュー表示動作は、受信した画像データを事前に確認してから印刷を実行するような事前設定やユーザ操作があったときなどに行われる。このプレビュー表示動作では、画像処理部１６が、伸張等の処理を施した後の画像データに対して、付加情報を付加する場合にはその付加情報の画像データを合成した後に、さらにタッチパネル３２の画素数（表示解像度）に合わせた変換処理及びプレビュー表示時の変倍処理を行い、変倍処理後の画像データが、ＧＵＩ画像に対して「コピーモードについての表示設定値」が示す表示位置に組み込まれてタッチパネル３２に表示されることになる。このようにファクシミリ受信した画像データについて印刷を実行する前のプレビュー表示時にはコピーモードとして取り扱ってよい。ユーザは、このプレビュー表示された画像を確認して、印刷を実行するか破棄するかを判断して、印刷又は破棄の操作を行うことができる。
【００８０】
＜ファクシミリ送信動作＞
次に、読み取った原稿の画像データをファクシミリ送信する場合の送信動作について説明する。ファクシミリ画像データは、タッチパネル３２又はキー操作部３１でのユーザ操作により設定された相手先（送信先）情報に対して送信される。相手先情報（この例では電話番号）は制御用メモリ１９に記憶され、必要に応じて読み出される。通常、相手先情報は、アドレス帳データとして複数の相手先の情報が閲覧可能に且つ選択可能に格納されているか、或いは送信前に直接入力される。
【００８１】
ファクシミリ送信を実行するためのユーザ操作が操作パネル３０で受け付けられたとき、メイン制御部１８は、画像記憶部１５、画像処理部１６、符号化／復号部１７、ＮＣＵ２３、及びモデム２４などに指示を行い、次に説明するような処理を実行させる。なお、メイン制御部１８は、例えば原稿をファクシミリ送信する操作がなされたときには読取部１３への指示（原稿読み取り指示）も行うことになる。なお、画像記憶部１５に記憶された画像データについてプレビュー表示を実行しながら、送信対象の画像データを選択し、その画像データについてファクシミリ送信を開始することも可能である。
【００８２】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、ファクシミリ送信用画像処理という）を実行する。ファクシミリ送信用画像処理としては、以下にその概略を説明するように、画質調整処理、空間フィルタ処理、変倍処理、出力階調補正処理、及び中間調生成処理などが挙げられる。空間フィルタ処理及び中間調生成処理は、領域分離データが示す各種領域に応じた処理とすればよいが、領域分離データを用いなくてもよい。さらに、ファクシミリ送信に伴う原稿読み取り動作では、読み取った画像データに対する領域分離処理やその領域分離データの符号化及び記憶を実行しなくてもよい。
【００８３】
画質調整処理としては、復号後の画像データを、マトリクス係数を用いてＫデータに変換する。このとき、原稿判定データが示す原稿種別に応じたマトリクス係数を用いてもよい。空間フィルタ処理としては、このＫデータに対して強調処理や平滑化処理を行う。変倍処理としては、空間フィルタ処理後のＫデータに対し、操作パネル３０で設定された送信解像度又はデフォルト設定の送信解像度に応じて画像拡大処理や画像縮小処理を行う。出力階調補正処理としては、変倍処理後のＫデータに対し、例えば送信先における記録用紙等の記録媒体に出力することを目的とした出力γ補正処理を行う。実際には、送信先の機器を考慮した出力γ補正でなく一般的な機器に対する出力γ補正を行えばよい。中間調生成処理としては、出力階調補正処理後のＫデータに対して、例えば誤差拡散処理により二値化を行う。出力階調補正処理や中間調生成処理では、原稿判定データが示す原稿種別に応じた処理を行ってもよい。
【００８４】
モノクロ画像でのファクシミリ送信について説明したが、カラー画像でのファクシミリ送信の際には、画像処理部１６が上述のファクシミリ送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【００８５】
中間調生成処理後の画像データは、必要に応じて回転処理が施され、符号化／復号部１７でファクシミリ送信時の圧縮形式で圧縮符号化されて、画像記憶部１５に一時的に保存される。モデム２４は、ＮＣＵ２３を介して設定された送信先との送信手続きを行い、送信先との通信を確立した段階（送信可能な状態にした段階）で、この一時的に保存されている符号化されたＫデータを読み出し、圧縮形式の変更などの必要な処理の後に公衆回線網を介して送信先に順次送信する。
【００８６】
そして、デジタル複合機１は、送信対象の画像データにも、付加情報を付加して送信することが可能となっている。この例のように画像データを外部へ送信する際には、付加情報として、スタンプ、日付（日時）、ページ番号の他に、送信元情報（発信元情報）も付加情報を付加することが可能となっている。ここで、画像データ送信時に付加する送信元情報には、送信者の名称の情報、送信元の電話番号の情報、送信元の電子メールアドレスの情報のいずれか１又は複数を含むとよい。また、付加情報としては、画像データ送信時には送信先の情報（相手先の情報）なども付加してもよい。
【００８７】
付加情報を付加してファクシミリ送信する場合には、次のような合成処理を行えばよい。メイン制御部１８が付加情報及び付加位置を示す情報を読み出して、メイン制御部１８又は画像処理部１６が画像データに変換し、画像処理部１６が、変換後の画像データ（付加情報の画像データ）を、変倍処理後の画像データである付加先の画像データに対し上記付加位置に合成すればよい。デジタル複合機１では、付加情報の画像データを付加する位置は、次に説明するプレビュー表示を行いながら操作パネル３０によりユーザ設定可能とする。この合成後の画像データは、上述した出力階調補正処理や回転処理や圧縮処理などが施された後に、送信先に送信されることになる。
【００８８】
＜ファクシミリ送信する画像データのプレビュー表示動作＞
デジタル複合機１は、ファクシミリ送信等で送信対象となった画像データについてプレビュー表示を可能にする構成を有する。このプレビュー表示動作は、送信前の画像データを事前に確認してから送信を実行するような事前設定やユーザ操作があったときなどに行われる。ファクシミリ送信対象となる画像データのプレビュー表示動作について、同画像データのファクシミリ送信動作に基づき説明する。プレビュー表示動作においてはメイン制御部１８はパネル制御部１１への指示も行う。
【００８９】
このプレビュー表示動作では、画像処理部１６が、画質調整処理、及び空間フィルタ処理（及び変倍処理）まではファクシミリ送信時と同じ処理を行い、プレビュー画像生成部１６ａによるプレビュー画像生成処理を実行し、出力階調補正処理として画像データを表示するための出力γ補正処理を行うとよい。このプレビュー画像生成処理として、プレビュー画像生成部１６ａは、送信解像度に応じた画像拡大処理／画像縮小処理を施した画像データに対して、タッチパネル３２の画素数（表示解像度）に合わせた変換処理と、「データ送信モードについての表示設定値」が示すプレビュー表示時の縮小／拡大率に応じた変倍処理とを行うことでプレビュー画像のデータを生成する。なお、このプレビュー表示動作では、空間フィルタ処理は実行されなくてもよく、また中間調生成処理は実行されない。ここで、データ送信モードとは、ファクシミリ送信モード、インターネットＦＡＸ送信モード、ファイル転送モードなど、外部（外部機器）に画像データを送信するためのモードであり、イメージ送信モードとも言う。
【００９０】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。組み込む位置は、ＧＵＩ画像に対して、制御用メモリ１９から読み出した「データ送信モードについての表示設定値」が示す表示位置とする。
【００９１】
付加情報を付加して送信する場合のプレビュー画像について説明する。付加情報は、送信解像度に応じた変倍処理を行った後の画像データに付加して出力する。より具体的には、メイン制御部１８が付加情報及びその付加位置を読み出して画像処理部１６に渡す。続いて、プレビュー画像生成部１６ａがこの付加情報から付加情報を示す画像のＲ′Ｇ′Ｂ′データを生成し、送信解像度に応じた画像拡大処理／画像縮小処理後のＲ′Ｇ′Ｂ′データに対し上記付加位置に合成すればよい。そして、付加後のＲ′Ｇ′Ｂ′データの画素数をタッチパネル３２の画素数（表示解像度）に変換する処理を行うと共に、制御用メモリ１９に格納された「データ送信モードについての表示設定値」が示すプレビュー表示倍率に基づいて画像拡大処理や画像縮小処理を行う。
【００９２】
このようにして付加情報の画像が合成された画像データは、上述したプレビュー表示時の出力階調補正処理（画像データを表示するための出力γ補正処理）が施された後に、パネル制御部１１によりＧＵＩ画像に対して「データ送信モードについての表示設定値」が示す表示位置に組み込まれてタッチパネル３２に表示されることになる。ユーザは、この付加情報の画像を含むプレビュー表示された画像を確認して、このままファクシミリ送信を実行するか中止するか、或いは付加情報を削除するか、付加位置の変更（又は付加情報の変更）などを実行するかなどを判断して、それに応じた操作を行うことができる。
【００９３】
＜インターネット経由による画像データの送信動作＞
次に、読み取った原稿の画像データを、インターネット経由による電子メール又はインターネットＦＡＸで送信する場合の送信動作について説明する。このようなインターネット経由での送信で対象となる画像データについても、タッチパネル３２又はキー操作部３１でのユーザ操作により設定されて制御用メモリ１９に格納された送信先情報（この例では電子メールアドレス）に対して送信される。
【００９４】
インターネット経由による送信に係るユーザ操作が操作パネル３０で受け付けられたとき、メイン制御部１８は、フォーマット変換部１４、画像記憶部１５、画像処理部１６、符号化／復号部１７、及びＬＡＮ制御部２１などに指示を行い、次に説明するようなインターネット経由による送信処理を実行させる。なお、メイン制御部１８は、例えば原稿をインターネット経由で送信する操作がなされたときには読取部１３への指示（原稿読み取り指示）も行うことになる。
【００９５】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、インターネット送信用画像処理という）を実行する。インターネット送信用画像処理としては、ファクシミリ送信用画像処理において説明した、画質調整処理、空間フィルタ処理、変倍処理、出力階調補正処理、及び中間調生成処理などが挙げられる。
【００９６】
また、カラー画像での送信の際の画像処理もファクシミリ送信用画像処理と同様であり、画像処理部１６がインターネット送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【００９７】
符号化／復号部１７は、インターネット送信用画像処理後の画像データを符号化（圧縮）して、圧縮ファイルを得る。この圧縮は、原稿１ページ単位で行われる。次いで、フォーマット変換部１４が、これらの圧縮ファイルを１つのファイルに変換し、このファイルを、例えばＭＩＭＥ（Multipurpose Internet Mail Extension）に従ってマルチパートメールに添付する。ここまでの処理により、読み取られた画像データは電子メールのフォーマットに変換される。この電子メールは、ＬＡＮ制御部２１によりＬＡＮインターフェースを介してＳＭＴＰ（Simple Mail Transfer Protocol）等のメール転送プロトコルを用いて、インターネット経由で送信先に送信される。
【００９８】
ここで、インターネットファクシミリ送信の場合、符号化／復号部１７が例えばＭＨのようなファクシミリ専用の圧縮形式で圧縮し、フォーマット変換部１４が得られたページ単位の圧縮ファイルを例えば１つのＴＩＦＦファイルに変換すればよい。また、電子メールに添付ファイルとして添付するだけの送信の場合（所謂scan to e-mailによる送信の場合）、符号化／復号部１７が例えばＪＰＥＧのような圧縮形式で圧縮し、フォーマット変換部１４が得られたページ単位の圧縮ファイルを例えば１つのＰＤＦファイルに変換すればよい。
【００９９】
また、デジタル複合機１は、送信対象の画像データがインターネット経由で送信する画像データであっても、ファクシミリ送信画像データの場合と同様に、付加情報を付加して送信することが可能となっている。付加情報の付加処理としては、ファクシミリ送信時について説明した合成処理を実行すればよく、上述した出力階調補正処理、圧縮処理、フォーマット変換処理などが施された後に、電子メールとして送信先のアドレスに送信されることになる。
【０１００】
＜インターネット経由で送信する画像データのプレビュー表示動作＞
ファクシミリ送信時のプレビュー表示について説明したのと同様に、本発明のデジタル複合機１は、インターネット経由で送信する対象となった画像データも、タッチパネル３２でプレビュー表示可能に構成することができる。
【０１０１】
このプレビュー表示動作では、ファクシミリ送信時のプレビュー表示について説明したのと同様に、画像処理部１６が、画質調整処理、及び空間フィルタ処理（及び変倍処理）まではインターネット送信用画像処理と同じ処理を行い、プレビュー画像生成部１６ａによるプレビュー画像生成処理を実行し、出力階調補正処理として画像データを表示するための出力γ補正処理を行うとよい。プレビュー画像生成部１６ａで生成され出力階調補正処理されたＲ′Ｇ′Ｂ′データは、タッチパネル３２に渡され、パネル制御部１１によりＧＵＩ画像において「データ送信モードについての表示設定値」が示す表示位置に組み込まれて、タッチパネル３２に表示されることになる。また、付加情報を示す画像を付加したプレビュー表示についても、ファクシミリ送信時のプレビュー表示についての説明が援用できる。
【０１０２】
＜本発明に係る、画像データ出力（送信又は印刷又はファイリング）前のプレビュー表示の説明＞
本発明に係るデジタル複合機１は、複数の動作モードの間で動作モードを切り換えることで、複数の動作モードのそれぞれで動作可能な装置である。ここで、動作モードとは、デジタル複合機１が実行可能な動作内容を示す動作モードを指し、上述したように、コピーモード、イメージ送信モード（データ送信モード）、ドキュメントファイリングモードなどが挙げられる。なお、動作モードは、主に出力形態に応じて決定されたモードであるが、入力形態に応じて決定されたモードとして取り扱ってもよく、入力形態と出力形態との双方に応じて決定されたモードとして取り扱ってもよい。
【０１０３】
そして、制御用メモリ１９について説明したように、本発明に係るデジタル複合機１は、動作モード毎に、前記画像表示部においてプレビュー画像を最初に表示させる際の表示設定値を記憶する設定値記憶部を備える。この表示設定値は、出力対象の画像データについて、最初にプレビュー表示する際の設定値（表示設定の初期値、つまり表示のデフォルト設定）であり、上述のように動作モードに応じて異ならせること（可変させること）ができる。
【０１０４】
出力対象の画像データは、読取部１３で例示したスキャナ装置、ＵＳＢ  Ｉ／Ｆ２５に接続されるＵＳＢメモリで例示した着脱可能な記憶装置、ＬＡＮ又は回線で例示した通信回線のいずれかから入力された画像データであってよい。若しくは、出力対象の画像データは、デジタル複合機１内に設けられた画像記憶部１５で例示した記憶装置から読み出された画像データであってもよい。
【０１０５】
コピー時、ファイリング時、ファクシミリ等でのデータ送信時について印刷前のプレビュー表示動作を説明したように、本発明に係るデジタル複合機１では、出力対象となった画像データについて、画像記憶部１５から読み出してそのプレビュー画像を生成するプレビュー画像生成部１６ａを有する。ここで、最初に表示するために最初に生成されるプレビュー画像は、動作モードの表示設定値が示す表示倍率に基づき拡大／縮小された画像であり、縮小された画像であることが好ましい。プレビュー画像生成部１６ａで生成された最初のプレビュー画像は、メイン制御部１８の制御によりタッチパネル３２に送られ、パネル制御部１１によりＧＵＩ画像において動作モードが示す表示位置に組み込んで表示する制御がなされ、タッチパネル３２に表示される。このように、タッチパネル３２は、出力対象の画像データをプレビュー表示する画像表示部の一例である。
【０１０６】
また、上述したようにデジタル複合機１では、出力対象の画像データに付加情報を付加して出力することが可能となっており、メイン制御部１８の制御に基づきパネル制御部１１が、付加情報の画像をタッチパネル３２に表示させる制御を行う。そのため、プレビュー画像生成部１６ａが、このような付加情報の画像を生成し出力対象の画像データから生成したプレビュー画像に合成することで、付加情報付きのプレビュー画像を生成する。なお、プレビュー表示において、付加情報を示す画像そのものを付加位置に合成して表示させることを前提に説明しているが、付加情報の代わりに、付加情報が存在していることを示す存在画像を表示させるように構成してもよい。
【０１０７】
そして、パネル制御部１１は、生成されたプレビュー画像をＧＵＩ画像に組み込んで表示させる制御を、タッチパネル３２に対して行い、タッチパネル３２でこのＧＵＩ画像を表示する。組み込む位置は、ＧＵＩ画像に対して、制御用メモリ１９から読み出した「動作モードについての表示設定値」が示す表示位置とする。このようにプレビュー画像生成部１６ａ及びパネル制御部１１は、プレビュー表示時に付加情報を表示させる制御を、画像表示部に行う表示制御部の一例である。
【０１０８】
本発明では、上述のような構成により、動作モードに応じて最初にプレビュー表示される画像データの表示形態を異ならせることができるため、ユーザが重要視する画像を予め標準値として表示設定値に設定しておくことにより、プレビュー確認時のユーザの拡大、縮小、移動といった操作の負担を軽減し、誤った画像データの処理を軽減することができる。すなわち、本発明は、出力対象の画像データを最初にプレビュー表示するに際し、拡大、縮小、移動などのユーザ操作を行わずに、動作モードに応じた確認ポイントを直ぐに確認することが可能になる。
【０１０９】
＜プレビュー表示の具体例＞
以下、図４〜図１１を参照し、動作モード別の出力対象画像データのプレビュー画像の表示例について、またそのプレビュー表示の流れについて、その具体例を挙げながら説明する。
【０１１０】
図４は、図２及び図３で説明したデジタル複合機の標準画面の例を示す図である。図４では、標準画面として、デジタル複合機１においてタッチパネル３２に表示されるＧＵＩ画像の一例（ＧＵＩ画像４０とする）を示している。標準画面のＧＵＩ画像４０は、デジタル複合機１の電源がＯＮになったりリセットされたときにタッチパネル３２に表示される。このＧＵＩ画像４０では、デジタル複合機１の動作モードを選択するために、コピーモード選択キー４１、イメージ送信モード選択キー４２、ドキュメントファイリングモード選択キー４３が表示されており、ＧＵＩ画像４０ではコピーモードが選択されている状態を示す。
【０１１１】
コピーモードでは、コピーを行うための各種の条件設定が可能となっている。例えば、片面・両面コピーの設定を行うための両面コピーキー、パンチやステープルの後処理の設定を行うための仕上げキー、その他コピー時の詳細設定を行うための特別機能キー４４、スキャナによって読み取られた画像や外部機器から入力された画像やＨＤＤ等の記憶装置に記憶された画像の仕上がり状態を確認するためのプレビュー確認キー４５等を備えている。ここで、ステープル処理の設定項目としては、記録紙の排出方向の設定やステープルの綴じ位置の設定などが挙げられる。後処理の設定項目としては、その他、ソート処理の設定、用紙をソートして重ねて出力する際に移動させる幅を決めるオフセット設定、中とじの設定、紙折りを行う設定などが挙げられる。
【０１１２】
また、ユーザは、タッチパネル３２を使用してプレビュー確認キー４５を操作することによって、画像データのプレビューを表示させることが可能になっている。なお、キー４２やキー４３を選択することで、データ送信モード（イメージ送信モード）やファイリングモード（ドキュメントファイリングモード）へ移行するが、このとき、各動作モードに応じた各種設定が可能なように各動作モードでの設定用のＧＵＩ画像が表示される。そして、各動作モードのＧＵＩ画像においても、プレビュー確認キーが選択可能に表示されているか、プレビュー確認キーが選択可能に表示された下層のＧＵＩ画像へ移行するキーが選択可能に表示されている。
【０１１３】
図５及び図６は、図２及び図３で説明したデジタル複合機におけるコピーモード時のプレビュー表示画面の例を示す図である。ここで、図５は、ある印刷対象の画像データに対してコピーモード時に最初に表示されるプレビュー画像を含むＧＵＩ画像の例を示す図、図６は、図５のＧＵＩ画像においてプレビュー画像の拡大表示を行ったときのＧＵＩ画像の例を示す図である。
【０１１４】
図５に示すＧＵＩ画像４６は、図４のＧＵＩ画像４０のプレビュー確認キー４５を選択することで（他の画面に移行することなく）表示される。ＧＵＩ画像４６は、制御用メモリ１９に格納されたコピーモード時の表示設定値に基づきプレビュー画像生成部１６ａにより印刷対象の画像データから生成されたプレビュー画像４７を、その表示設定値に基づきＧＵＩ画像に組み込まれて表示されたものである。ＧＵＩ画像４６では、「標準設定」での表示がなされていることを示す画像５６が表示されている。
【０１１５】
ここで、表示設定値について再度簡単に説明する。上述したように、画像のプレビュー表示を行う際であっても、コピーモード、データ送信モード、ファイリングモードなどの動作モードにより確認するポイントが異なる場合がある。従って、そのポイントを的確に最初のプレビュー表示でユーザに視認させるために、コピーモードについて例示したように、各動作モードに対して表示設定値が設定されている。
【０１１６】
また、プレビュー画像４７は縮小した画像データをページ毎に示すものである。そのため、ＧＵＩ画像４６には、プレビュー表示している画像データのページを変更するために、現ページを示す情報４９と共に、ページ切換キー４８が表示されている。移動キー４８には、最初のページを表示するためのトップページ移動キー、現ページの前のページを表示するための前ページ移動キー、現ページの次のページを表示するための次ページ移動キー、及び最後のページを表示するためのラストページ移動キーが含まれる。プレビュー画像４７は、このようにページ毎に表示され、ユーザはページ切換キー４８を適宜操作することによって、任意のページのプレビュー画像を表示させることができる。
【０１１７】
このように、本発明の表示設定値に基づく最初のプレビュー表示を行う場合には、少なくとも最初に表示させるプレビュー画像は、出力対象の画像データを、出力するページ単位で順次表示した画像であることが好ましい。どのような動作モードであっても、ユーザが確認すべきポイントは、１ページ（印刷の場合、１枚の用紙に相当するページ）に集約されていることが多いためである。
【０１１８】
ＧＵＩ画像４６では、さらに、設定確認キー５２、拡大／縮小キー５３、表示の回転キー５４などが選択可能に表示されていて、ユーザはこれらを適宜操作することによって、プレビュー画像４７の設定を確認したり、プレビュー画像４７を拡大／縮小或いは回転させて確認することができる。
【０１１９】
例えば、プレビュー画像を拡大した際には図６のＧＵＩ画像５７で示すように、拡大されたプレビュー画像５８が表示されると共に、スクロールバーが表示され、全体の確認が可能となっている。図５から図６へ移行したときには、「標準設定」での表示がなされていることを示す画像５６は表示されないが、表示設定値に基づき最初のプレビュー表示として図６のＧＵＩ画像５７が表示される場合には画像５６は表示されることになる。
【０１２０】
また、ＧＵＩ画像４６では、仕上がり状態の表示を行わせるための仕上がり表示キー５１も選択可能に表示され、再設定キー５０が選択可能に表示されている。プレビュー画像４７を確認することで印刷条件を再設定する必要が生じた場合など、ユーザは再設定キー５０を操作することにより、印刷条件を再設定するためのＧＵＩ画像を表示させることができる。そして再設定画面を使用して印刷条件を再設定し、再設定した印刷条件に基づくプレビュー画像４７を表示させることができる。また、ＧＵＩ画像４６には、コピー開始キー５５が選択可能に表示されていて、ユーザがこのコピー開始キー５５を操作することによって、プレビュー表示された画像データを画像形成（印刷）する処理が開始される。なお、このようなＧＵＩ画像４６中のプレビュー画像４７は、ファクシミリ受信時にも同様に表示させるとよい。
【０１２１】
図５のプレビュー画像４７は画像データの全体を表示しているが、コピーモードの場合には、両面・片面等の印刷モード、余白設定、及びパンチ、ステープル等の仕上げ状態を表示した画像全体の配置形態を確認したいという要望が高い。このような要望に応えるためのコピーモードでのプレビュー表示について、図７及び図８を参照して説明する。
【０１２２】
図７は、図２及び図３で説明したデジタル複合機におけるコピーモード時のプレビュー表示画面の他の例を示す図で、ある印刷対象の画像データに対してコピーモード時に最初に表示されるプレビュー画像を含むＧＵＩ画像の例を示す図である。
【０１２３】
図７で示すＧＵＩ画像５９では、プレビュー画像６０として、画像全体の仕上げ状態が判別可能な縮小画像を表示している。プレビュー画像６０には、仕上げ状態として、ステープル画像６０ａ及びパンチ穴画像６０ｂがその処理位置付近に表示されている。ＧＵＩ画像５９では、「標準設定」での表示がなされていることを示す画像５６が表示されている。なお、図７のＧＵＩ画像５９は、図５のＧＵＩ画像４６や図６のＧＵＩ画像５７において仕上がり表示キー５１を選択したときにも表示されるが、そのとき画像５６は表示されないことになる。
【０１２４】
このように、コピーモードに対する表示設定値は、プレビュー画像の表示サイズをページ全体が閲覧可能なサイズとする設定を含むことが好ましい。また、コピーモードに対する表示設定値は、最初のプレビュー画像を、出力時の仕上げ状態を含めて表示する設定を含むことが好ましい。つまり、コピーモード時には、プレビュー画像に出力時の仕上げ状態を併せて、或いはプレビュー画像に合成して表示することが好ましい。ここで、確認すべき仕上げ状態は、ステープル処理、パンチ処理、集約処理（Ｎ  ｉｎ  １）、中とじ処理などが挙げられるため、コピーモード時に表示する仕上げ状態はこれらの処理のいずれか１又は複数の処理を施した結果の状態であることが好ましい。
【０１２５】
さらに、確認すべき仕上げ状態としては、定型スタンプ、日付（又は日時）、ページ番号などの付加情報の付加状態も挙げられ、図８を参照して説明する。図８は、図２及び図３で説明したデジタル複合機におけるコピーモード時のプレビュー表示画面の他の例を示す図で、ある印刷対象の画像データに対してコピーモード時に最初に表示されるプレビュー画像を含むＧＵＩ画像の他の例を示す図である。
【０１２６】
図８で示すＧＵＩ画像６１では、プレビュー画像６２として、画像全体の仕上げ状態が判別可能な縮小画像を表示している。プレビュー画像６２には、仕上げ状態として、画像上部の付加位置に極秘スタンプ画像６３やタイムスタンプ画像６４が確認できる状態で表示されている。ＧＵＩ画像６１では、「標準設定」での表示がなされていることを示す画像５６も表示されている。
【０１２７】
そして、画像６３や画像６４は、画面の上下端の略中間位置に表示されている。このように、コピーモードに対する表示設定値は、印刷時に画像データに付加する付加情報を、タッチパネル３２の画面の上端及び下端の略中間位置に表示する設定を含むことが好ましい。この設定は、プレビュー表示倍率に影響し、スクロール位置（つまりＧＵＩ画像への組み込み範囲）にも影響してくる。実際、このような位置に付加情報の画像を表示させるために、プレビュー画像６２は図７のプレビュー画像６０より拡大されている。このような位置でのプレビュー表示により、重要な確認ポイントである付加情報が探すことなく一目で確認できる。
【０１２８】
なお、図８で図示したような付加情報の位置と、実際に印刷を実行したときの印字状態とは通常同じになるが、中とじ印刷の場合などには異ならせてもよい。例えば、プレビュー画像６２に、日時、定型のスタンプ、ページ番号、任意文字に対応する付加情報の画像が表示されている場合、見開きで左側になる印字ページではそのままの位置に付加情報が付加されて印刷されるが、右側になる印字ページでは日時の付加情報のみが同じ位置に付加され、それ以外は左側と右側との境界線に対象な位置に付加されて印刷されてもよい。勿論、中とじ印刷の場合でも、見開きで左側になる印字ページでも右側になる印字ページでもそのままの位置に付加情報が付加されてもよい。
【０１２９】
また、図８では、パンチやステープルといった後処理による仕上げ状態を表示していないが、付加情報の付加処理と後処理とが双方施されるのであれば付加情報の付加状態と共に後処理の状態も表示しておけばよい。また、図８のＧＵＩ画像６１は、図５のＧＵＩ画像４６や図６のＧＵＩ画像５７において仕上がり表示キー５１を選択したときにも表示されるが、このとき画像５６は表示されない。
【０１３０】
ここでは、コピーモードについて説明したが、画像データを記憶するファイリングモードでも、コピーモード同様にデータの全体像の確認が望まれる。従って、ファイリングモード時も同様に、図８のプレビュー画像６２のように付加情報が付加された状態でプレビュー表示することが好ましい。また、ファイリングモードについての表示設定値も、コピーモードのそれと同様に、記憶時に画像データに付加する付加情報を、タッチパネル３２の画面の上端及び下端の略中間位置に表示する設定を含むことが好ましい。なお、ファイリングモード時にはパンチやステープル等の後処理はなされないため、図７のようなこの後処理に関する画像は表示されない。また、図７や図８を参照して好ましい例を示したが、上述したように、コピーモードやファイリングモードについての表示設定値が、図５のＧＵＩ画像４６のプレビュー画像４７や図６のＧＵＩ画像５７のプレビュー画像５８のような表示を行う設定となっていてもよい。
【０１３１】
また、データ送信モードでファクシミリや電子メールによりデータを送信する際には、送信原稿に付加されるヘッダの詳細を送信前に確認する要望が高い。このような要望に応えるためのデータ送信モードでのプレビュー表示について、図９を参照して説明する。
【０１３２】
図９は、図２及び図３で説明したデジタル複合機におけるデータ送信モード時のプレビュー表示画面の例を示す図で、あるファクシミリ送信対象の画像データに対してデータ送信モード時に最初に表示されるプレビュー画像を含むＧＵＩ画像の例を示す図である。
【０１３３】
図９で示すＧＵＩ画像６５では、再設定キー５０、設定確認キー５２、送信時にヘッダに付加する情報を表示させるための送信付加情報キー６６、表示中のプレビュー画像のページを削除する（送信対象から外す）ためのページ削除キー６７、拡大／縮小キー５３と同様の拡大／縮小キー６８、表示の回転キー５４と同様の回転キー６９、並びに、送信開始を実行するための送信開始キー７０などが、選択可能に表示されている。また、ＧＵＩ画像６５では、スクロールバーや現ページを示す情報４９やページ切換キー４８なども選択可能に表示されている。
【０１３４】
また、ＧＵＩ画像６５では、プレビュー画像７１が表示されると共に、その最上位（一番上の位置）を表示することで、画像送信時のヘッダ情報（ここでは送信元情報）の画像７２が確認できる状態となっている。なお、ヘッダ画像（送信元情報）７２が表示されない状態で、送信付加情報キー６６を選択することでヘッダ画像７２を表示させることができる。このように、データ送信モードに対する表示設定値は、外部に送信する画像データに付加するヘッダ情報を、閲覧可能なサイズで表示する設定を含むことが好ましい。これにより、送信元などの画像を直ぐに確認することができる。また、データ送信モードに対する表示設定値は、外部に送信する際に添付する送り状を表示する設定を含むようにしてもよい。これにより、送信元や宛先などを含む送り状の画像を直ぐに確認することができる。
【０１３５】
また、図９のＧＵＩ画像６５では、プレビュー画像を表示した際に、画面左下に標準設定キー７３が選択可能に表示されている。拡大、表示位置の設定、及び、仕上がり表示等のユーザの所望する表示設定を行った後に、この標準設定キー７３を選択することで、現在の動作モードについての表示設定値を書き換えることができる。このような書き換えは、データ送信モードに限って適用できるのではなく、他の動作モードでも動作モード毎にプレビュー時の標準画面を設定することができる。例えば、図５〜図８のＧＵＩ画像４６、５７、５９、６１についても、「標準設定」での表示がなされていることを示す画像５６の代わりに、標準設定キーを選択可能に表示させることで、同様に標準設定が可能となる。
【０１３６】
このように、デジタル複合機１は、動作モードに応じた表示設定値を、ユーザ操作により変更する設定値変更部を備えることが好ましい。これにより、機器毎に異なる表示設定値でプレビュー表示でき、使用環境に応じたプレビュー表示などが可能となる。
【０１３７】
また、このような変更は、ユーザ毎に可能としておくことが好ましい。そのため、デジタル複合機１にユーザを認証するユーザ認証部を備えるとよい。ユーザ認証部としては、例えば図示しない操作パネルのテンキーやＩＣカードによる認証が採用できる。ここでの認証は単にＩＤなどのみを使用した簡易な認証であってもよい。そして、設定値記憶部は、ユーザ認証部で認証されるユーザ毎に、動作モードに応じた表示設定値を記憶可能としておき、設定値変更部は、ユーザ認証部で認証されたユーザ毎に、動作モードに応じた表示設定値の変更可能としておくとよい。このような構成により、ユーザ認証を行った際には、ユーザ毎に、各動作モードについてのプレビュー表示時の標準設定画面を可変設定することが可能となる。また、ユーザによってはスタンプ印字位置の確認を所望する等、同じデジタル複合機１を使用するユーザであっても、ユーザによっても確認ポイントが異なる場合があるため、このようなユーザ毎の表示設定値の変更は有益となる。
【０１３８】
図１０は、図２及び図３で説明したデジタル複合機におけるデータ送信モード時のプレビュー表示画面の他の例を示す図、データ送信モード時に最初に表示されるプレビュー画像を含むＧＵＩ画像の他の例を示す図である。
【０１３９】
図１０で示すＧＵＩ画像７５では、図９のＧＵＩ画像６５において、標準設定キー７３の代わりに、付加情報調整キー７６が表示されている。付加情報調整キー７６を選択することで、付加情報の付加位置の調整が可能となる。例えば調整用のポップアップ画像を表示させるなどすれば、ユーザにより調整できる。図１０のプレビュー画像７１に合成されたヘッダ画像７２ａは、図９のヘッダ画像７２に比べて左へ移動させた後の状態を示している。図示していないが、最初のプレビュー表示時に、付加情報調整キー７６と同時に、現在標準設定でプレビュー表示されていることを示す画像（図５の画像５６）を表示させておき、調整中は、図９の標準設定キー７３に表示を変えるなどしてもよい。
【０１４０】
以上、各動作モードの初期プレビュー表示について具体例を挙げて説明した。その他、表示設定値は、出力対象の画像データに対するプレビュー画像の表示倍率を動作モードに応じて異ならせた設定を含むことが好ましい。これにより、動作モードに応じて、最初に表示されるプレビュー画像の表示倍率を変えることができる。
【０１４１】
次に、デジタル複合機１において、各動作モードにおけるプレビュー表示及び出力処理を実行するときの流れについて、図１１を参照しながら説明する。図１１は、図２及び図３のデジタル複合機において、各動作モードにおけるプレビュー表示及び出力処理を実行する手順の一例を説明するためのフロー図である。
【０１４２】
まず、メイン制御部１８は、現在の動作モードを判定し（ステップＳ１）、判定した動作モードに応じた設定（例えばコピーモードであれば印刷設定）を受け付けて、その設定を反映させる（ステップＳ２）。続いて、メイン制御部１８は、読取部１３又は画像記憶部１５などから出力対象となる画像データを取得して画像処理部１６へ渡す（ステップＳ３）。次に、メイン制御部１８はプレビュー確認キーの設定が行われているか、つまりプレビュー確認キーがＯＮになっているかを判定する（ステップＳ４）。この判定は、コピー等の出力処理が開始される前に図４のプレビュー確認キー４５がユーザにより操作されているかの判定となる。
【０１４３】
ステップＳ４でＮＯの場合には、コピー開始キー、送信開始キー、保存開始キーなどの動作モードに応じた出力処理開始キーが選択されるのを待ち（ステップＳ５）、選択により出力開始指示が受け付けられた段階でその出力処理を実行する（ステップＳ１３）。
【０１４４】
一方、ステップＳ４でＹＥＳの場合には、ステップＳ５〜Ｓ１２を実行して、取得した画像データに対するプレビュー画像を表示させる。具体的に説明すると、まずメイン制御部１８は、制御用メモリ１９から現在の動作モードに応じた表示設定値（初期設定値）を読み出す（ステップＳ６）。そして、プレビュー画像生成部１６ａがその表示設定値に基づき表示縮小率を決めてプレビュー画像を生成し、パネル制御部１１がその表示設定値に基づき表示位置を決めて、生成されたプレビュー画像をＧＵＩ画像に組み込んで、タッチパネル３２に表示する（ステップＳ７）。
【０１４５】
ここで、メイン制御部１８が、パネル制御部１１でプレビュー表示の変更操作を受け付けたか否かを判定し（ステップＳ８）、変更操作がなければ、コピー開始キー、送信開始キー、保存開始キーなどの動作モードに応じた出力処理開始キーが選択されるのを待ち（ステップＳ１２）、選択により出力開始指示が受け付けられた段階でその出力処理を実行する（ステップＳ１３）。ステップＳ１２でＮＯの場合には、ステップＳ８へ戻って変更操作があったかを判定する。
【０１４６】
ステップＳ８でＹＥＳの場合には、プレビュー画像生成部１６ａ及びパネル制御部１１が、その変更操作に基づいてプレビュー表示を変更し（ステップＳ９）、メイン制御部１８が、パネル制御部１１で標準設定キー７３の選択、つまりこの変更したプレビュー表示を標準設定にする指示があったか否かを判定する（ステップＳ１０）。この指示がなかった場合には、ステップＳ１２へ移行する。一方、この指示があった場合には、メイン制御部１８が、制御用メモリ１９において、変更されたプレビュー表示内容で現在の動作モードにおける表示設定値（初期設定値）を書き換え、ステップＳ１２へ移行する。
【０１４７】
以上、デジタル複合機１を挙げて、本発明に係る画像形成装置について説明したが、その処理の流れを説明したように、本発明は、複数の動作モードのそれぞれで動作可能な画像形成装置（上述のデジタル複合機１で例示）におけるプレビュー表示方法としての形態も採り得る。このデジタル複合機１は、上述したように、動作モード毎に、プレビュー画像を最初に表示させる際の表示設定値を記憶する設定値記憶部と、画像表示部とを備えるものとする。
【０１４８】
そして、本発明に係るこのプレビュー表示方法は、設定値記憶部から、現在の動作モードに対応する表示設定値を読み出すステップと、出力対象の画像データのプレビュー画像を、読み出した表示設定値に従って画像表示部に表示するステップとを含む。なお、このプレビュー表示方法の応用例については、デジタル複合機１でのプレビュー表示処理として説明した通りであり、その説明は省略する。
【図面の簡単な説明】
【０１４９】
【図１】本発明の一実施形態に係る画像形成装置の一例としてのデジタル複合機を用いて構築される画像処理システムの構成例を示す模式図である。
【図２】図１のデジタル複合機の構成例を示す概略ブロック図である。
【図３】図２のデジタル複合機におけるタッチパネル及びキー操作部の一例を示す外観図である。
【図４】図２及び図３で説明したデジタル複合機の標準画面の例を示す図である。
【図５】図２及び図３で説明したデジタル複合機におけるコピーモード時のプレビュー表示画面の例を示す図である。
【図６】図２及び図３で説明したデジタル複合機におけるコピーモード時のプレビュー表示画面の他の例を示す図である。
【図７】図２及び図３で説明したデジタル複合機におけるコピーモード時のプレビュー表示画面の他の例を示す図である。
【図８】図２及び図３で説明したデジタル複合機におけるコピーモード時のプレビュー表示画面の他の例を示す図である。
【図９】図２及び図３で説明したデジタル複合機におけるデータ送信モード時のプレビュー表示画面の例を示す図である。
【図１０】図２及び図３で説明したデジタル複合機におけるデータ送信モード時のプレビュー表示画面の他の例を示す図である。
【図１１】図２及び図３のデジタル複合機において、各動作モードにおけるプレビュー表示及び出力処理を実行する手順の一例を説明するためのフロー図である。
【符号の説明】
【０１５０】
１…デジタル複合機、２，３…外部コンピュータ、４…インターネットＦＡＸ装置、１０，３２…タッチパネル、１１…パネル制御部、１２…記録部、１３…読取部、１４…フォーマット変換部、１５…画像記憶部、１６ａ…プレビュー画像生成部、１７…符号化／復号部、１８…メイン制御部、１９…制御用メモリ、２０，３１…キー操作部、２１…ＬＡＮ制御部、２２…制御用バッファ、２３…ＮＣＵ、２４…モデム、２５…ＵＳＢ  Ｉ／Ｆ、３０…操作パネル。
【図１】
2010035019.tif 000003
【図２】
2010035019.tif 000004
【図３】
2010035019.tif 000005
【図４】
2010035019.tif 000006
【図５】
2010035019.tif 000007
【図６】
2010035019.tif 000008
【図７】
2010035019.tif 000009
【図８】
2010035019.tif 000010
【図９】
2010035019.tif 000011
【図１０】
2010035019.tif 000012
【図１１】
2010035019.tif 000013